(57)【要約】【課題】２個以上のインペラを並べて使用する場合、全体的に小型化することが可能なライナ機構を備えた遠心式砥粒投射装置を提供する。【解決手段】所要の間隔をおき並べて配設した２個以上のインペラ１と、２個以上のインペラを囲むライナ機構２とを備え、このライナ機構は、その側部あるいはその端部で相互に着脱可能な複数の板状のライナ６・７・８・９によって構成された箱状を成し、かつ、インペラ取付け用ハブの貫通孔１０、砥粒の投射口１１およびインペラへの砥粒の供給口１２を設けたことを特徴とする。【選択図】  図１
2008194781.tif 000002
【特許請求の範囲】
【請求項１】
遠心力を利用して砥粒を投射する遠心式砥粒投射装置であって、
所要の間隔をおき並べて配設した２個以上のインペラと、
これら２個以上のインペラを囲むライナ機構とを備え、
このライナ機構は、
その側部あるいはその端部で相互に着脱可能な複数の板状のライナによって構成された箱状を成し、かつ、前記インペラ取付け用ハブの貫通孔、砥粒の投射口および前記インペラへの砥粒の供給口を、有することを特徴とする遠心式砥粒投射装置。
【請求項２】
請求項１に記載の遠心式砥粒投射装置において、
前記ライナ機構は、２個以上の前記インペラを収納した空間に、インペラ毎に仕切る板状の仕切りライナを設けたことを特徴とする遠心式砥粒投射装置。
【請求項３】
請求項１または２に記載の遠心式砥粒投射装置において、
前記ライナ機構は、前記インペラと同じ個数の天井ライナ群と、この天井ライナ群の各天井ライナの供給口側に垂設した供給口側ライナと、前記天井ライナ群の各天井ライナのハブ側に垂設したハブ側ライナと、前記天井ライナ群、前記供給口側ライナ群および前記ハブ側ライナ群の両端部にそれぞれ取り付けた２個の側面ライナとを含むことを特徴とする遠心式砥粒投射装置。
【請求項４】
請求項１〜３のうちいずれか１項に記載の遠心式砥粒投射装置において、
前記ライナ機構は、前記ライナ同士が接合する部分に、相互に嵌合可能な断面凹部および断面凸部、または、相互に係合可能な段付き部を形成したことを特徴とする遠心式砥粒投射装置。
【請求項５】
請求項１〜４のうちいずれか１項に記載の遠心式砥粒投射装置において、
前記ライナ機構をインペラカバーによって包囲したことを特徴とする遠心式砥粒投射装置。
【請求項６】
請求項２〜５のうちいずれか１項に記載の遠心式砥粒投射装置において、
前記仕切りライナは、天井片と、この天井片の供給口側に垂設した供給口側片と、前記天井片のハブ側に垂設したハブ側片と、前記供給口側片または前記ハブ側片に一体的に設けた仕切り片とで構成したことを特徴とする遠心式砥粒投射装置。
【請求項７】
請求項３〜６のうちいずれか１項に記載の遠心式砥粒投射装置において、
前記供給口側ライナおよび前記ハブ側ライナをその中心線を基にして２個以上に分割可能としたことを特徴とする遠心式砥粒投射装置。
【請求項８】
請求項１〜７のうちいずれか１項に記載の遠心式砥粒投射装置において、
２個以上の前記インペラのうち対を成す２個インペラは、砥粒を相互に向き合う方向へ投射するように内側方向へ回転することを特徴とする遠心式砥粒投射装置。
【発明の詳細な説明】
【技術分野】
【０００１】
本発明は、遠心力を利用して砥粒を投射する遠心式砥粒投射装置に関する。
【背景技術】
【０００２】
従来、この種の装置の一つとして、インペラと、インペラを囲むインペラカバーと、このインペラカバー内に取り付けられるライナとで構成され、前記インペラカバーは、左右の第１・第２側面カバーと、前・後面カバーと、開閉可能な天井蓋とにより構成され、前記ライナは、前記インペラカバーにネジにより着脱可能にされると共に前記インペラの回転軸及びインペラ側板を貫通可能に穿った貫通穴を有する第１・第２側面ライナと、これら第１・第２側面ライナの端面に押圧固定されると共に断面Ｕ字形に形成された前・ハブ側面ライナと、前記第１・第２側面ライナ及び前記前・ハブ側面ライナの上端部に着脱可能に嵌合載置された組付け枠ライナと、この組付け枠ライナに着脱可能に載置された天井側面ライナとにより構成され、前記天井側面ライナと前記第１・第２側面ライナとの合わせ面に、投射材の投射方向に対して４点以上の屈曲点のあるラビリンス構造を設け、前記天井側面ライナが、前記インペラカバーに取り付けられた固定手段により押圧固定可能にされたものがある。
【特許文献１】特開２００２−１１６６８号公報
【発明の開示】
【発明が解決しようとする課題】
【０００３】
しかし、このように構成された従来の遠心式砥粒投射装置は、一般に、１個のインペラが１個のライナ付きインペラカバーによって包囲される構造になっている。そのため、複数の遠心式砥粒投射装置を砥粒の投射方向へ並べて、例えば鋼板のような広い被処理面を有する製品を処理する場合、これら複数の遠心式砥粒投射装置を設置するための広い面積や空間が必要となり、これに伴って、複数の遠心式砥粒投射装置を設置したショットブラスト設備は大型の高価なものになるなどの問題があった。
【０００４】
本発明は上記の事情に鑑みてなされたもので、その目的は、２個以上のインペラを並べて使用する場合、全体的に小型化することが可能なライナ機構を備えた遠心式砥粒投射装置を提供することにある。    
【課題を解決するための手段】
【０００５】
上記の目的を達成するために発明における遠心式砥粒投射装置は、遠心力を利用して砥粒を投射する遠心式砥粒投射装置であって、所要の間隔をおき並べて配設した２個以上のインペラと、これら２個以上のインペラを囲むライナ機構とを備え、このライナ機構は、
その側部あるいはその端部で相互に着脱可能な複数の板状のライナによって構成された箱状を成し、かつ、前記インペラ取付け用ハブの貫通孔、砥粒の投射口および前記インペラへの砥粒の供給口を、有することを特徴とする。    
【０００６】
なお、本発明における２個以上の前記インペラは、水平方向、垂直方向またはこれら２方向のうちいずれかに対して傾斜する方向であって、砥粒の投射方向に沿って一直線状または段違い状にして、所要の間隔をおき並べて配設される。
またなお、本発明におけるライナ機構は、２個以上のインペラを収納した空間に、インペラ毎に仕切る仕切りライナを設けてもよい。
【０００７】
またなお、本発明におけるライナ機構は、前記インペラと同じ個数の天井ライナ群と、この天井ライナ群の各天井ライナの供給口側に垂設した供給口側ライナと、前記天井ライナ群の各天井ライナのハブ側に垂設したハブ側ライナと、前記天井ライナ群、前記供給口側ライナ群および前記ハブ側ライナ群の両端部にそれぞれ取り付けた２個の側面ライナと、を含む構造にしてもよい。
【０００８】
またなお、本発明におけるライナ機構は、前記ライナ同士が接合する部分に、相互に嵌合可能な断面凹部および断面凸部、または、相互に係合可能な段付き部を形成して相互に着脱可能にするとともに、投射された砥粒が外部に飛び出るのを防止できるようにすることが望ましい。
【０００９】
またなお、本発明におけるライナ機構の仕切りライナは、天井片と、天井片の供給口側に垂設した供給口側片と、天井片のハブ側に垂設したハブ側片と、供給口側片またはハブ側片に一体的に設けた仕切り片とで構成してもよい。
またなお、本発明におけるライナ機構の供給口側ライナおよびハブ側ライナは、その中心線に基づき２個以上に分割可能な構造にして組付けや製作を容易にしてもよい。
またなお、本発明において、２個以上の前記インペラのうち対を成す２個インペラは、砥粒を相互に向き合う方向へ投射するように内側へ回転するのが望ましい。
【発明の効果】
【００１０】
上記の説明から明らかなように本発明は、遠心力を利用して砥粒を投射する遠心式砥粒投射装置であって、所要の間隔をおき並べて配設した２個以上のインペラと、これら２個以上のインペラを囲むライナ機構とを備え、このライナ機構は、その側部あるいはその端部で相互に着脱可能な複数の板状のライナによって構成された箱状を成し、かつ、前記インペラ取付け用ハブの貫通孔、砥粒の投射口および前記インペラへの砥粒の供給口を、有するから、２個以上のインペラを並べて使用する場合、遠心式砥粒投射装置を全体的に小型化することが可能になるなどの優れた実用的効果を奏する。
【発明を実施するための最良の形態】
【００１１】
本発明を適用した遠心式砥粒投射装置の一実施例について図１〜図４に基づき詳細に説明する。本遠心式砥粒投射装置は、図１に示すように、所要の間隔をおき左右に並べて配設された２個のインペラ１・１と、これら２個のインペラ１・１を囲むライナ機構２と、このライナ機構２を囲むインペラカバー３と、で構成してある。そして、前記ライナ機構２は前記インペラカバー３の内面に、インペラカバー３の側板を貫通するボルト（図示せず）を介して着脱可能に取り付けてある。また、前記インペラ１は、図２に示すように、ハブ４に取り付けてあり、ハブ４は回転可能に支持された左右方向へ指向する回転軸５の左部に嵌着してある。
【００１２】
さらに、前記ライナ機構２は、図３および図４に示すように、前記インペラ１と同じ個数の２個の天井ライナ６・６群と、２個の天井ライナ６・６群の各天井ライナ６の供給口側に垂設した供給口側ライナ７と、２個の前記天井ライナ６・６群の各天井ライナ６のハブ側に垂設したハブ側ライナ８と、前記天井ライナ６・６群、前記供給口側ライナ７・７群および前記ハブ側ライナ８・８群の両端部にそれぞれ取り付けた２個の側面ライナ９・９と、前記天井ライナ６・６群、前記供給口側ライナ７・７群および前記ハブ側ライナ８・８群のそれぞれの間に設けた仕切りライナ１９とで構成してある。そして、前記ライナ機構２には、インペラ取付け用ハブの貫通孔１０、砥粒の投射口１１および前記インペラ１への砥粒の供給口１２が設けてある。
【００１３】
また、前記供給口側ライナ７および前記ハブ側ライナ８は、中心線を基にしてそれぞれ上下および左右の４個に分割可能に構成してある。
また、前記仕切りライナ１９は、天井片２０と、この天井片２０の供給口側に垂設した供給口側片２１と、前記天井片２０のハブ側に垂設したハブ側片２２と、ハブ側片２２に一体的に設けた仕切り片２３とで構成してある。そして、隣合う２個の前記インペラ１・１において一方のインペラ１が、他方のインペラ１から投射される砥粒を受けるのを避けるため、前記仕切り片２３の下端が、図１に示すように、２個のインペラ１・１が回転した時に描く２個の回転円Ｃ・Ｃの下端部間を結ぶ接線Ｌより下方に位置するか、この接線Ｌ上に位置するようになっている。
また、前記各種のライナ６・７・８・９同士は、図４に示すように、相互に接合する接合部分が、相互に嵌合可能な断面凹部１３および断面凸部１４と、相互に係合可能な段付き部１５に形成してある。
【００１４】
なお、図２において、符号１６は前記インペラカバー３に装着されて砥粒を前記インペラ１の中心部に導入する導入筒、１７は前記回転軸５に装着されて砥粒を飛散させる羽根車、１８は前記インペラカバー３に装着されて砥粒の前記インペラ１への流量を制御するコントロールゲージである。
【００１５】
このように構成したものは、２個のインペラ１・１をそれぞれ矢印方向へ回転させた状態の下に、各導入筒１６から各羽根車１７に砥粒を供給すると、砥粒は、羽根車１７によって飛散されたのち、コントロールゲージ１８によって流量を制御されながら、回転する２個のインペラ１・１によって投射口１１から投射されることとなる。
【００１６】
なお、上述の実施例では前記インペラ１・１は左右に並べて設けてあるが、上述の実施例を垂直面内で９０度回転した状態である、前記インペラ１・１が上下に並ぶとともに前記ライナ機構２が上下方向へ延びる構造、あるいは前記インペラ１・１が水平方向または垂直方向のいずれかに対して傾斜する方向に並ぶとともに前記ライナ機構２もその傾斜する方向へ延びる構造にしてもよい。
【００１７】
またなお、上述の実施例では前記ライナ機構２は、前記インペラカバー３の内面に着脱可能に取り付けてあるが、これに限定されるものではなく、例えば、研掃室を構成するキャビネット内に直接的に着脱可能に取り付けるようにしてもよい。
【図面の簡単な説明】
【００１８】
【図１】本発明を適用した遠心式砥粒投射装置の一実施例の主要部の一部断面正面図である。
【図２】図１のＡ−Ａ断面図である。
【図３】本発明の主要部であるライナ機構を表示する斜視図である。
【図４】図３で表示したライナ機構の分解図である。
【符号の説明】
【００１９】
２    ライナ機構
６    天井ライナ
７    供給口側ライナ
８    ハブ側ライナ
９    側面ライナ
１０    インペラの回転軸用貫通孔
１１    砥粒の砥粒投射口
１２    砥粒の砥粒供給口
【図１】
2008194781.tif 000003
【図２】
2008194781.tif 000004
【図３】
2008194781.tif 000005
【図４】
2008194781.tif 000006